(57)【要約】【課題】交流電源ＡＣで発生した異常が停電と低電圧とのいずれであっても、ＡＣ入力電圧の異常時間を正確に測定することができる交流入力電圧検出回路及びＡＣ／ＤＣ電源を提供する。【解決手段】ＡＣ検出電圧と基準電圧ＶｓＬとを比較するコンパレータ１１と、ＡＣ検出電圧と基準電圧ＶｓＬよりも高い基準電圧ＶｓＨとを比較するコンパレータ１２と、コンパレータ１１によってＡＣ検出電圧が基準電圧ＶｓＬ以下になったことが検出されるとタイマのカウントをスタートすると共に、コンパレータ１２によってＡＣ検出電圧が基準電圧ＶｓＨを超えたことが検出されるとタイマのカウントをクリアし、タイマのカウントのスタートから、クリアされることなく予め設定された異常検出時間が経過すると、ＡＣ異常検出信号を出力するタイマ部１３とを備えている。【選択図】図１
2014090624.tif 000002
【特許請求の範囲】
【請求項１】
ＡＣ／ＤＣコンバータに入力されるＡＣ入力電圧の異常を検出する交流入力電圧検出回路であって、
前記ＡＣ入力電圧と第１の基準電圧とを比較する第１の比較回路と、
前記ＡＣ入力電圧と前記第１の基準電圧よりも高い第２の基準電圧とを比較する第２の比較回路と、
前記第１の比較回路によって前記ＡＣ入力電圧が前記第１の基準電圧以下になったことが検出されるとタイマのカウントをスタートすると共に、前記第２の比較回路によって前記ＡＣ入力電圧が前記第２の基準電圧を超えたことが検出されると前記タイマのカウントをクリアし、前記タイマのカウントのスタートから、クリアされることなく予め設定された異常検出時間が経過すると、ＡＣ異常検出信号を出力するタイマ回路とを具備することを特徴とする交流入力電圧検出回路。
【請求項２】
前記第１の基準電圧は、異常として検出する低電圧のピーク値以下に設定され、
前記第２の基準電圧は、異常として検出する低電圧のピーク値を超える値に設定されていることを特徴とする請求項１記載の交流入力電圧検出回路。
【請求項３】
前記第１の基準電圧は、前記ＡＣ入力電圧が停電であるか否かを検出する閾電圧であり、
前記第２の基準電圧は、前記ＡＣ入力電圧が低電圧であるか否かを検出する閾電圧であることを特徴とする請求項１又は２記載の交流入力電圧検出回路。
【請求項４】
前記異常検出時間は、前記ＡＣ／ＤＣコンバータの保持時間から、前記ＡＣ／ＤＣコンバータがＤＣ電圧を供給している負荷における終了処理時間を減算した値よりも短い時間に設定されていることを特徴とする請求項１乃至３のいずれかに記載の交流入力電圧検出回路。
【請求項５】
請求項１乃至４のいずれかに記載の交流入力電圧検出回路を備えることを特徴とするＡＣ／ＤＣ電源。
【発明の詳細な説明】
【技術分野】
【０００１】
本発明は、ＡＣ入力電圧の異常を検出する交流入力電圧検出回路及びＡＣ／ＤＣ電源に関する。
【背景技術】
【０００２】
サーバ等のホスト（ＣＰＵ、メモリ等）で示される負荷へのＤＣ電圧の供給には、図６（ａ）に示すように、交流電源ＡＣから入力されるＡＣ入力電圧を整流平滑して、所望のＤＣ電圧を出力するＡＣ／ＤＣ電源が用いられている。このＡＣ／ＤＣ電源には、電解コンデンサ等で決まる保持時間が設定されている。保持時間は、電源装置が安定したＤＣ電圧を負荷に供給できる保証時間のことであり、電源装置の仕様規格項目の一つである。交流電源ＡＣが停電になった場合、ＡＣ／ＤＣ電源は、保持時間が過ぎるまで継続して動作するが、保持時間を過ぎると動作を停止する。従って、ホストが重要なデータを扱うサーバや業務用ゲーム機等の場合、交流電源ＡＣの停電からＡＣ／ＤＣ電源の保持時間終了（動作停止）までの間に、システムとしてデータの退避などの終了処理を行う必要がある。そのため、交流電源ＡＣの停電が発生した場合に、ＡＣ／ＤＣ電源からホスト側に異常を知らせるＡＣ異常検出信号を出力している（例えば、特許文献１参照）。
【０００３】
一般的に、ＡＣ／ＤＣ電源の保持時間は、数１０ｍｓであることが多い。この短い期間にＡＣ／ＤＣ電源はＡＣ異常検出信号をホストに出力し、ホストはＡＣ異常検出信号によってシステムとして終了処理をさせなければならない。例えば、図６（ｂ）に示すように、ＡＣ／ＤＣ電源の保持時間Ｔ１が２０ｍｓ、ホストの終了処理にかかる終了処理時間Ｔ２が８ｍｓであるとする。この場合には、停電発生から１２ｍｓ以内にＡＣ異常検出信号を出力できると、ホスト側で安全に終了処理が終えられる計算になる。このためには、交流電源ＡＣの停電発生からの１２ｍｓを正確に測定できなければならない。しかし、停電発生後１３ｍｓでＡＣ異常検出信号を出力した場合には、ホストの終了処理に許される時間が７ｍｓしかなく、終了処理を終えられないことになる。すなわち、ＡＣ異常検出信号を作るためには、正確な時間測定が要求される。また、停電のみならず、電源動作仕様範囲外の低電圧の場合も同様の信号処理を求められることがあり、停電と低電圧の両方で正確な時間測定ができなければならない。
【０００４】
ＡＣ異常検出信号を出力する従来の交流入力電圧検出回路４は、図７を参照すると、抵抗Ｒ１、Ｒ２、Ｒ３とダイオードＤと、コンパレータ４１と、基準電圧Ｖｓと、タイマ部４２とを備えている。
【０００５】
整流回路ＤＢの交流入力端子ＡＣｉｎ１と、接地端子との間に、抵抗Ｒ１と、ダイオードＤと、抵抗Ｒ３とが直列に接続されている。また、整流回路ＤＢの交流入力端子ＡＣｉｎ２と、抵抗Ｒ１とダイオードＤのアノードとの接続点との間には、抵抗Ｒ１と同じ抵抗値の抵抗Ｒ２が接続されている。これにより、抵抗Ｒ３とダイオードＤのカソードとの接続点で検出される電圧は、ＡＣ入力電圧の両相を全波整流した波形となる。以下、抵抗Ｒ３とダイオードＤのカソードとの接続点で検出される電圧を、ＡＣ検出電圧と称する。
【０００６】
抵抗Ｒ３とダイオードＤのカソードとの接続点は、コンパレータ４１の反転入力端子に接続されていると共に、コンパレータ４１の非反転入力端子には、基準電圧Ｖｓが接続されている。これにより、コンパレータ４１の出力は、ＡＣ検出電圧が基準電圧Ｖｓを超えた場合にＬｏｗレベルとなり、ＡＣ検出電圧が基準電圧Ｖｓ以下の場合にＨｉｇｈレベルとなる。
【０００７】
タイマ部４２は、図８に示すように、時刻ｔ１１、ｔ１３のコンパレータ４１の出力の立ち上がり、すなわちＨｉｇｈレベルに反転するタイミングでタイマのカウントをスタートさせ、時刻ｔ１２のコンパレータ４１の出力の立ち下がり、すなわちＬｏｗレベルに反転するタイミングでタイマのカウントをクリアさせる。ここで、時刻ｔｃに交流電源ＡＣが停電すると、以降は、ＡＣ検出電圧が０ボルトとなる。従ってＡＣ検出電圧が基準電圧Ｖｓを超えることがないため、タイマのカウント値がクリアされることなく、時刻ｔ１３から異常検出時間Ｔ０経過後の時刻ｔ１４で、ＡＣ異常検出信号が出力される。
ここで、ｔｃ−ｔ１３の時間は、誤差時間である。ＡＣ入力電圧は、正弦波であるため必ず０ボルトをクロスする瞬間がある。この瞬間は、停電なのか正常なのかを区別することができない期間であり、どうしてもこの誤差時間が発生してしまう。この誤差時間をできるだけ小さくするためには、基準電圧Ｖｓをできるだけ小さく設定する必要がある。
【先行技術文献】
【特許文献】
【０００８】
【特許文献１】特開平１１−１５５２８４号公報
【発明の概要】
【発明が解決しようとする課題】
【０００９】
しかしながら、従来技術では、停電及び低電圧を交流電源ＡＣの異常として検出して、ＡＣ異常検出信号を出力する場合には、ＡＣ入力電圧の異常時間を正確に測定することができず、所望のタイミングでＡＣ異常検出信号を出力することができないという問題点があった。
【００１０】
すなわち、図９に示すように、停電を交流電源ＡＣの異常として検出するために、基準電圧Ｖｓを０ボルト付近の低い値に設定している場合には、時刻ｔｃで低電圧が発生しても、時刻ｔ１５でＡＣ検出電圧が基準電圧Ｖｓを超え、コンパレータ４１の出力の立ち下がり、すなわちＬｏｗレベルに反転するタイミングでタイマのカウントがクリアされてしまう。これにより、交流電源ＡＣで低電圧が発生した場合には、ＡＣ入力電圧の異常時間を正確に測定することができず、ＡＣ異常検出信号を出力することができない。
【００１１】
また、図１０に示すように、低電圧を交流電源ＡＣの異常として検出するために、基準電圧Ｖｓを高い値に設定している場合には、ピーク時においてもＡＣ検出電圧が基準電圧Ｖｓを下回って、コンパレータ４１の出力が反転されることがないため、タイマのカウントがスタートされた時刻ｔ２３から異常検出時間Ｔ０経過後の時刻ｔ２４で、ＡＣ異常検出信号が出力される。しかし、タイマのカウントがスタートされる時刻ｔ２３は、交流電源ＡＣの低電圧が発生した時刻ｔｃよりもかなり前になってしまう。従って、ＡＣ入力電圧の異常時間を正確に測定することができず、規定よりも短い時間でＡＣ異常検出信号が出力されてしまう。
【００１２】
本発明の目的は、上記問題点に鑑みて従来技術の上記問題を解決し、交流電源ＡＣで発生した異常が停電と低電圧とのいずれであっても、ＡＣ入力電圧の異常時間を正確に測定することができる交流入力電圧検出回路及びＡＣ／ＤＣ電源を提供することにある。
【課題を解決するための手段】
【００１３】
本発明の交流入力電圧検出回路は、ＡＣ／ＤＣコンバータに入力されるＡＣ入力電圧の異常を検出する交流入力電圧検出回路であって、前記ＡＣ入力電圧と第１の基準電圧とを比較する第１の比較回路と、前記ＡＣ入力電圧と前記第１の基準電圧よりも高い第２の基準電圧とを比較する第２の比較回路と、前記第１の比較回路によって前記ＡＣ入力電圧が前記第１の基準電圧以下になったことが検出されるとタイマのカウントをスタートすると共に、前記第２の比較回路によって前記ＡＣ入力電圧が前記第２の基準電圧を超えたことが検出されると前記タイマのカウントをクリアし、前記タイマのカウントのスタートから、クリアされることなく予め設定された異常検出時間が経過すると、ＡＣ異常検出信号を出力するタイマ回路とを具備することを特徴とする。
さらに、本発明の交流入力電圧検出回路において、前記第１の基準電圧は、異常として検出する低電圧のピーク値以下に設定され、前記第２の基準電圧は、異常として検出する低電圧のピーク値を超える値に設定されていても良い。
さらに、本発明の交流入力電圧検出回路において、前記第１の基準電圧は、前記ＡＣ入力電圧が停電であるか否かを検出する閾電圧であり、前記第２の基準電圧は、前記ＡＣ入力電圧が低電圧であるか否かを検出する閾電圧であっても良い。
さらに、本発明の交流入力電圧検出回路において、前記異常検出時間は、前記ＡＣ／ＤＣコンバータの保持時間から、前記ＡＣ／ＤＣコンバータがＤＣ電圧を供給している負荷における終了処理時間を減算した値よりも短い時間に設定されていても良い。
また、本発明のＡＣ／ＤＣ電源は、上述の交流入力電圧検出回路のいずれかを備えることを特徴とする。
【発明の効果】
【００１４】
本発明によれば、ＡＣ入力電圧で発生した異常が停電と低電圧とのいずれであっても、第２の基準電圧よりも低い第１の比較回路を基準にしてタイマのカウントをスタートさせることができ、ＡＣ入力電圧の異常時間を正確に測定することができるという効果を奏する。
【図面の簡単な説明】
【００１５】
【図１】本発明に係る交流入力電圧検出回路の実施の形態の回路構成を示す回路構成図である。
【図２】交流電源で停電が発生した場合の図１の各部の信号波形及び動作波形を示す波形図である。
【図３】交流電源で低電圧が発生した場合の図１の各部の信号波形及び動作波形を示す波形図である。
【図４】本発明に係るＡＣ／ＤＣ電源の実施の形態の回路構成を示す回路構成図である。
【図５】図４に示すＡＣ／ＤＣ電源のＤＣ電圧を示す波形図である。
【図６】ＡＣ異常検出信号の出力タイミングを説明するための説明図である
【図７】従来の交流入力電圧検出回路の回路構成を示す回路構成図である。
【図８】交流電源で停電が発生した場合の図７の各部の信号波形及び動作波形を示す波形図である。
【図９】交流電源で低電圧が発生した場合の図７の各部の信号波形及び動作波形を示す波形図である。
【図１０】交流電源で低電圧が発生した場合の図７の各部の信号波形及び動作波形を示す波形図である。
【発明を実施するための形態】
【００１６】
本実施の形態の交流入力電圧検出回路１は、ＡＣ／ＤＣコンバータ２に入力される交流電源の停電や低電圧を検出する回路である。図１を参照すると、ＡＣ−ＤＣコンバータ２は、整流回路ＤＢと、電解コンデンサＣと、コンバータ部２１とを備え、サーバ等のホスト３０で示される負荷にＤＣ電圧を供給する。
【００１７】
ＡＣ／ＤＣコンバータ２において、ダイオードがブリッジ構成された整流回路ＤＢの交流入力端子ＡＣｉｎ１、ＡＣｉｎ２には交流電源ＡＣが接続され、交流電源ＡＣから入力されたＡＣ入力電圧が全波整流されて整流回路ＤＢから出力される。整流回路ＤＢの整流出力正極端子と整流出力負極端子との間には、電解コンデンサＣが接続されている。これにより、交流電源ＡＣを整流回路ＤＢと電解コンデンサＣとで整流平滑したＤＣ電圧が得られる。
【００１８】
コンバータ部２１は、整流回路ＤＢ及び電解コンデンサＣによって整流平滑されたＤＣ電圧を所望のＤＣ電圧に変換する回路であり、スイッチング電源、ドロッパ電源等やそれらの組み合わせを採用することができる。なお、コンバータ部２１を省略して整流回路ＤＢ及び電解コンデンサＣによって整流平滑されたＤＣ電圧を負荷３０に直接供給するようにしても良い。
【００１９】
交流入力電圧検出回路１は、図１を参照すると、抵抗Ｒ１、Ｒ２、Ｒ３とダイオードＤと、コンパレータ１１、１２と、基準電圧ＶｓＬ、ＶｓＨと、タイマ部１３とを備えている。
【００２０】
整流回路ＤＢの交流入力端子ＡＣｉｎ１と、接地端子との間に、抵抗Ｒ１と、ダイオードＤと、抵抗Ｒ３とが直列に接続されている。また、整流回路ＤＢの交流入力端子ＡＣｉｎ２と、抵抗Ｒ１とダイオードＤのアノードとの接続点との間には、抵抗Ｒ１と同じ抵抗値の抵抗Ｒ２が接続されている。これにより、抵抗Ｒ３とダイオードＤのカソードとの接続点で検出される電圧は、ＡＣ入力電圧の両相を全波整流した波形となる。以下、抵抗Ｒ３とダイオードＤのカソードとの接続点で検出される電圧を、ＡＣ検出電圧と称する。
【００２１】
抵抗Ｒ３とダイオードＤのカソードとの接続点は、コンパレータ１１の反転入力端子に接続されていると共に、コンパレータ１１の非反転入力端子には、基準電圧ＶｓＬが接続されている。これにより、コンパレータ１１の出力は、ＡＣ検出電圧が基準電圧ＶｓＬを超えた場合にＬｏｗレベルとなり、ＡＣ検出電圧が基準電圧ＶｓＬ以下の場合にＨｉｇｈレベルとなる。
【００２２】
また、抵抗Ｒ３とダイオードＤのカソードとの接続点は、コンパレータ１２の反転入力端子に接続されていると共に、コンパレータ１２の非反転入力端子には、基準電圧ＶｓＨが接続されている。これにより、コンパレータ１２の出力は、ＡＣ入力電圧が基準電圧ＶｓＨを超えた場合にＬｏｗレベルとなり、ＡＣ入力電圧が基準電圧ＶｓＨ以下の場合にＨｉｇｈレベルとなる。
【００２３】
基準電圧ＶｓＬは、ＡＣ入力電圧が停電か否かを判断するための閾電圧である。従って、基準電圧ＶｓＬは、異常として検出する低電圧のピーク値（分圧された値）以下で、０ボルト付近の値に設定されている。コンパレータ１１の出力がＨｉｇｈレベルの場合というのは、「ＡＣ入力電圧が停電で０ボルト」か「変動するＡＣ入力電圧が０ボルト付近にあるか」のいずれかである。すなわち、ＡＣ入力電圧は正弦波なので必ず０ボルトをクロスする瞬間がある。この瞬間は「異常（停電）」なのか「正常」なのかが分からない瞬間である。ＡＣ入力電圧が「正常」の場合は、その直後にＡＣ検出電圧が上がるのでコンパレータ１１の出力がＬｏｗレベルに反転する。これに対し、ＡＣ入力電圧が「異常（停電）」の場合には、ＡＣ検出電圧が上がることがないので、コンパレータ１１の出力はＨｉｇｈレベルのままになる。
【００２４】
基準電圧ＶｓＨは、ＡＣ入力電圧が低電圧か否かを判断するための閾電圧であり、基準電圧ＶｓＬよりも高く、異常として検出する低電圧のピーク値を超える値に設定されている。基準電圧ＶｓＨは、検出したい低電圧のレベルに応じて適宜設定されている。コンパレータ１２の出力がＨｉｇｈレベルの場合というのは、「ＡＣ入力電圧が低電圧で所定の電圧以下」か「変動するＡＣ入力電圧が所定の電圧以下にあるか」のいずれかである。すなわち、ＡＣ入力電圧は正弦波なので必ず所定の電圧以下にある期間がある。この期間は「異常（低電圧）」なのか「正常」なのかが分からない期間である。ＡＣ入力電圧が「正常」の場合は、その直後にＡＣ検出電圧が所定の電圧を超えるのでコンパレータ１２の出力がＬｏｗレベルに反転する。これに対し、ＡＣ入力電圧が「異常（低電圧）」の場合には、ＡＣ検出電圧が所定の電圧を超えることがないので、コンパレータ１２の出力はＨｉｇｈレベルのままになる。
【００２５】
タイマ部１３は、コンパレータ１１の出力の立ち上がり、すなわちＨｉｇｈレベルに反転するタイミングでタイマのカウントをスタートさせ、カウント値が予め設定されている異常検出時間Ｔ０に到達すると、ＡＣ異常検出信号を出力する。ＡＣ異常検出信号は、ＡＣ／ＤＣコンバータ２がＤＣ電圧を供給しているサーバ等のホスト３０に「異常（停電や低電圧による保持時間終了）」を事前に通知するための信号である。そこで、異常検出時間Ｔ０は、交流電源ＡＣが停電になった後に、ＡＣ／ＤＣコンバータ２の保持時間Ｔ１１からホスト３０においてデータの退避等の終了処理時間Ｔ２を減算した値よりも若干短い時間に設定されている。なお、ＡＣ／ＤＣコンバータ２の動作に影響を与えない程度の瞬時停電では、できるだけＡＣ異常検出信号の出力が行われないことが望ましいため、異常検出時間Ｔ０は、上述の条件の中で、できるだけ長い時間に設定される。従って、ＡＣ入力電圧の「異常（停電や低電圧）」の発生タイミングを高い精度で時間測定する必要がある。
【００２６】
また、タイマ部１３は、コンパレータ１２の出力の立ち下がり、すなわちＬｏｗレベルに反転するタイミングでタイマのカウントをクリアさせる。これにより、ＡＣ入力電圧が「正常」の場合には、異常検出時間Ｔ０前にカウントがクリアされることになり、ＡＣ異常検出信号が出力されることはない。なお、タイマ部１３におけるタイマのカウントとしては、マイコンやＣＲ回路の時定数等を採用することができる。
【００２７】
図２及び図３は、図１に示す交流入力電圧検出回路１の各部の信号を示すタイミングチャートであり、（ａ）はＡＣ検出電圧、（ｂ）はコンパレータ１１の出力信号、（ｃ）はコンパレータ１２の出力信号、（ｄ）はタイマのカウント値、（ｅ）はＡＣ異常検出信号をそれぞれ示している。
【００２８】
図２には、時刻ｔａでＡＣ入力電圧が「異常（停電）」になった場合の各部の信号の信号波形が示されている。
ＡＣ入力電圧が「正常」である場合には、時刻ｔ０１でＡＣ検出電圧が基準電圧ＶｓＬ以下になり、コンパレータ１１の出力がＨｉｇｈレベルに反転するタイミングでスタートされたタイマのカウント値が、時刻ｔ０２でＡＣ検出電圧が基準電圧ＶｓＨを超え、コンパレータ１２の出力がＬｏｗレベルに反転するタイミングでクリアされる。異常検出時間Ｔ０は、時刻ｔ０２−時刻ｔ０１の時間よりも当然長い時間に設定されているため、ＡＣ入力電圧が「正常」である場合には、ＡＣ異常検出信号が出力されることがない。なお、タイマのカウント値のクリアは、基準電圧ＶｓＨをしきい値としたコンパレータ１２の出力の立ち下がりで行われるのだが、クリアされるということは「異常（停電や低電圧）」が発生していないときなので、ＡＣ異常検出信号の時間精度には影響ない。
【００２９】
時刻ｔａでＡＣ入力電圧が「異常（停電）」になった場合には、直前の時刻ｔ０３でＡＣ検出電圧が基準電圧ＶｓＬ以下になり、コンパレータ１１の出力がＨｉｇｈレベルに反転するタイミングでタイマのカウント値がスタートされる。以降、ＡＣ入力電圧が「異常（停電）」でＡＣ検出電圧が基準電圧ＶｓＨを超えることがないため、タイマのカウント値がクリアされることなく、時刻ｔ０３から異常検出時間Ｔ０経過後の時刻ｔ０４で、ＡＣ異常検出信号が出力される。このように、タイマのカウントは、ＡＣ入力電圧が「異常（停電）」になった時刻ｔａの直前の、基準電圧ＶｓＬをしきい値としたコンパレータ１１の出力の立ち上がりで行われる。従って、ＡＣ入力電圧の「異常（停電）」の発生タイミングを高い精度で時間測定することができる。
【００３０】
図３には、時刻ｔｂでＡＣ入力電圧が「異常（低電圧）」になった場合の各部の信号の信号波形が示されている。
時刻ｔｂでＡＣ入力電圧が「異常（低電圧）」になった場合には、直前の時刻ｔ０５でＡＣ検出電圧が基準電圧ＶｓＬ以下になり、コンパレータ１１の出力がＨｉｇｈレベルに反転するタイミングでタイマのカウント値がスタートされる。以降、ＡＣ入力電圧が「異常（低電圧）」でＡＣ検出電圧が基準電圧ＶｓＨを超えることがないため、タイマのカウント値がクリアされることなく、時刻ｔ０５から異常検出時間Ｔ０経過後の時刻ｔ０６で、ＡＣ異常検出信号が出力される。このように、タイマのカウントは、ＡＣ入力電圧が「異常（低電圧）」になった時刻ｔｂの直前の、基準電圧ＶｓＬをしきい値としたコンパレータ１１の出力の立ち上がりで行われる。従って、ＡＣ入力電圧の「異常（低電圧）」の発生タイミングも高い精度で時間測定することができる。
【００３１】
なお、図４に示すように、交流入力電圧検出回路１を備えたＡＣ／ＤＣ電源４０において、交流入力電圧検出回路１から出力されるＡＣ異常検出信号をＡＣ／ＤＣ電源４０自身で使用するように構成しても良い。
【００３２】
図５（ａ）を参照すると、停電後、保持時間Ｔ１が終了した従来のＡＣ／ＤＣ電源のＤＣ電圧Ｖ０は徐々に下降する。その時のＤＣ電圧Ｖ０の電圧波形には、下降の傾きが換わるポイント（変極点）が発生する場合がある。あるいは、変極点でＤＣ電圧Ｖ０が一瞬上昇する場合もある。このＤＣ電圧の変極点によってホスト３０は、悪影響を与えられる虞がある。変極点が発生する原因は、ＡＣ／ＤＣ電源４０の回路方式、制御方法、負荷の状況等によって換わるが、保持時間Ｔ１終了後もＡＣ／ＤＣ電源４０が制御を続けていることに起因する。
【００３３】
そこで、ＡＣ／ＤＣ電源４０は、交流入力電圧検出回路１から出力されるＡＣ異常検出信号を使用し、
保持時間Ｔ１が終了する前に電源制御を停止させたり、図５（ｂ）に示すように、保持時間Ｔ１が終了する前にＤＣ電圧Ｖ０の出力を停止させたりする。すなわち、ＡＣ／ＤＣ電源４０自身が制御を停止するタイミングとして、交流入力電圧検出回路１から出力されるＡＣ異常検出信号を使用される。なお、ＡＣ入力電圧の「異常（停電や低電圧）」の発生タイミングを高い精度で時間測定できないと、保持時間Ｔ１をオーバーしてしまったり、充分な保持時間Ｔ１を保つことなく電源の制御が停止されてしまったりすることになる。これに対し、交流入力電圧検出回路１から出力されるＡＣ異常検出信号は、交流入力電圧検出回路１において、高い精度で時間測定されたＡＣ入力電圧の「異常（停電や低電圧）」の発生タイミングから異常検出時間Ｔ０経過後に出力される。従って、ＡＣ／ＤＣ電源４０自身が制御を停止するタイミングが、保持時間Ｔ１をオーバーすることがなく、十分な保持時間Ｔ１を保つことができる。
【００３４】
以上説明したように、本実施の形態によれば、ＡＣ／ＤＣコンバータ２に入力されるＡＣ入力電圧の異常を検出する交流入力電圧検出回路１は、ＡＣ検出電圧（ＡＣ入力電圧）と基準電圧ＶｓＬ（第１の基準電圧）とを比較するコンパレータ１１（第１の比較回路）と、ＡＣ検出電圧と基準電圧ＶｓＬよりも高い基準電圧ＶｓＨ（第２の基準電圧）とを比較するコンパレータ１２（第２の比較回路）と、コンパレータ１１によってＡＣ検出電圧が基準電圧ＶｓＬ以下になったことが検出されるとタイマのカウントをスタートすると共に、コンパレータ１２によってＡＣ検出電圧が基準電圧ＶｓＨを超えたことが検出されるとタイマのカウントをクリアし、タイマのカウントのスタートから、クリアされることなく予め設定された異常検出時間Ｔ０が経過すると、ＡＣ異常検出信号を出力するタイマ部１３とを備えている。この構成により、交流電源ＡＣで発生した異常が停電と低電圧とのいずれであっても、基準電圧ＶｓＨよりも低い基準電圧ＶｓＬを基準にしてタイマのカウントをスタートさせることができ、ＡＣ入力電圧の異常時間を正確に測定することができる。また、２つの基準電圧ＶｓＬ及び基準電圧ＶｓＨを使って１つのタイマ部１３を制御することになり、停電でも低電圧でも、ＡＣ電圧の異常時間を正確に測定することができる。
【００３５】
さらに、本実施の形態によれば、基準電圧ＶｓＬは、ＡＣ検出電圧が停電であるか否かを検出する閾電圧であり、異常として検出する低電圧のピーク値以下に設定され、基準電圧ＶｓＨは、ＡＣ検出電圧が低電圧であるか否かを検出する閾電圧であり、異常として検出する低電圧のピーク値を超える値に設定されている。この構成により、交流電源ＡＣで発生した異常が停電と低電圧とのいずれであっても、ＡＣ入力電圧の異常時間をさらに正確に測定することができる。
【００３６】
さらに、本実施の形態によれば、異常検出時間Ｔ０は、ＡＣ／ＤＣコンバータ２の保持時間Ｔ１１から、ＡＣ／ＤＣコンバータ２がＤＣ電圧を供給しているホスト３０における終了処理時間Ｔ２を減算した値よりも短い時間に設定されている。この構成により、ホスト３０において終了処理時間Ｔ２を確保することが可能になる。
【００３７】
以上、本発明を具体的な実施形態で説明したが、上記実施形態は一例であって、本発明の趣旨を逸脱しない範囲で変更して実施できることは言うまでもない。
【符号の説明】
【００３８】
１  交流入力電圧検出回路
２  ＡＣ／ＤＣコンバータ
４  交流入力電圧検出回路
１１、１２、４１  コンパレータ
１３、４２  タイマ部
２１  コンバータ部
３０  ホスト
４０  ＡＣ／ＤＣ電源
ＡＣ  交流電源
Ｃ  電解コンデンサ
ＤＢ  整流回路
Ｄ  ダイオード
Ｒ１、Ｒ２、Ｒ３  抵抗
Ｖｓ、ＶｓＬ、ＶｓＨ  基準電圧
【図１】
2014090624.tif 000003
【図２】
2014090624.tif 000004
【図３】
2014090624.tif 000005
【図４】
2014090624.tif 000006
【図５】
2014090624.tif 000007
【図６】
2014090624.tif 000008
【図７】
2014090624.tif 000009
【図８】
2014090624.tif 000010
【図９】
2014090624.tif 000011
【図１０】
2014090624.tif 000012